(57)【要約】【課題】冷却が可能なコンクリートパネルを提供する。【解決手段】コンクリートパネル１０は、コンクリートパネル本体２０と、長手方向が第一方向に沿い、かつ、第一方向と交差する第二方向に並んで配置された複数の第一パイプ３１であって、コンクリートパネル本体２０の内部に配置された複数の第一パイプ３１と、コンクリートパネル本体２０の内部に配置された、複数の第一パイプ３１を接続する接続部材とを備える。【選択図】図３
2018159212.tif 000002
【特許請求の範囲】
【請求項１】
コンクリートパネル本体と、
長手方向が第一方向に沿い、かつ、前記第一方向と交差する第二方向に並んで配置された複数の第一パイプであって、前記コンクリートパネル本体の内部に配置された複数の第一パイプと、
前記コンクリートパネル本体の内部に配置された、前記複数の第一パイプを接続する接続部材とを備える
コンクリートパネル。
【請求項２】
前記コンクリートパネルは、長手方向が前記第二方向に沿う第二パイプ及び第三パイプを前記接続部材として備え、
前記複数の第一パイプのそれぞれは、一方の端部が第二パイプに接続され、他方の端部が前記第三パイプに接続され、
前記複数の第一パイプ、前記第二パイプ、及び、前記第三パイプは、連通する
請求項１に記載のコンクリートパネル。
【請求項３】
前記第二パイプの一方の端部は、前記コンクリートパネル本体の前記第二方向における一方の端部から外部に露出し、
前記第三パイプの一方の端部は、前記コンクリートパネル本体の前記第二方向における他方の端部から外部に露出する
請求項２に記載のコンクリートパネル。
【請求項４】
前記第二パイプの他方の端部は、前記コンクリートパネル本体の内部に位置し、
前記第三パイプの他方の端部は、前記コンクリートパネル本体の内部に位置する
請求項３に記載のコンクリートパネル。
【請求項５】
前記第二パイプの他方の端部は、前記コンクリートパネル本体の内部に位置し、
前記第三パイプの他方の端部は、前記コンクリートパネル本体の前記第二方向における一方の端部から外部に露出し、
前記第三パイプは、前記第三パイプの内部の空間を前記第三パイプの長手方向において２つに分ける仕切り材を有する
請求項３に記載のコンクリートパネル。
【請求項６】
前記複数の第一パイプのそれぞれは、前記第二パイプ及び前記第三パイプよりも細い
請求項２〜５のいずれか１項に記載のコンクリートパネル。
【請求項７】
前記接続部材は、前記コンクリートパネル本体の内部の前記複数の第一パイプの間に配置され、前記複数の第一パイプを接続する
請求項１に記載のコンクリートパネル。
【請求項８】
前記接続部材は、板状である
請求項７に記載のコンクリートパネル。
【請求項９】
前記接続部材は、開口を有する
請求項７または８に記載のコンクリートパネル。
【請求項１０】
前記複数の第一パイプのそれぞれは、両方の端部が前記コンクリートパネル本体の外部に露出する
請求項７〜９のいずれか１項に記載のコンクリートパネル。
【請求項１１】
請求項１〜１０のいずれか１項に記載のコンクリートパネルを複数備える住宅。
【発明の詳細な説明】
【技術分野】
【０００１】
本発明は、コンクリートパネル、及び、これを備える住宅に関する。
【背景技術】
【０００２】
住宅などの建築物を建築するための様々な建築部材が提案されている。例えば、特許文献１には、プレキャストコンクリートパネルが開示されている。
【先行技術文献】
【特許文献】
【０００３】
【特許文献１】特開平９−４１２０号公報
【発明の概要】
【発明が解決しようとする課題】
【０００４】
プレキャストコンクリートパネルは熱容量が大きく、日射などで一旦熱せられると冷めにくい性質を有する。ユーザにとって快適な屋内空間を実現するためには、プレキャストコンクリートパネルを冷却する必要がある。
【０００５】
本発明は、冷却が可能なコンクリートパネル及びこれを備える住宅を提供する。
【課題を解決するための手段】
【０００６】
本発明の一態様に係るコンクリートパネルは、コンクリートパネル本体と、長手方向が第一方向に沿い、かつ、前記第一方向と交差する第二方向に並んで配置された複数の第一パイプであって、前記コンクリートパネル本体の内部に配置された複数の第一パイプと、前記コンクリートパネル本体の内部に配置された、前記複数の第一パイプを接続する接続部材とを備える。
【０００７】
本発明の一態様に係る住宅は、前記コンクリートパネルを複数備える。
【発明の効果】
【０００８】
本発明によれば、冷却が可能なコンクリートパネル、及び、これを備える住宅が実現される。
【図面の簡単な説明】
【０００９】
【図１】図１は、実施の形態１に係るコンクリートパネルを備える住宅の外観斜視図である。
【図２】図２は、実施の形態１に係るコンクリートパネルの外観斜視図である。
【図３】図３は、実施の形態１に係るコンクリートパネルの内部構造を示す平面図である。
【図４】図４は、実施の形態１の変形例に係るコンクリートパネルの内部構造を示す平面図である。
【図５】図５は、実施の形態２に係るコンクリートパネルの外観斜視図である。
【図６】図６は、実施の形態２に係るコンクリートパネルの内部構造を示す斜視図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
各図は、模式図であり、必ずしも厳密に図示されたものではない。したがって、各図において縮尺等は必ずしも一致していない。各図において、実質的に同一の構成に対しては同一の符号を付しており、重複する説明は省略または簡略化する。
【００１２】
以下の実施の形態で説明に用いられる図面においては、座標軸が示される場合がある。座標軸におけるＺ軸方向は、例えば、コンクリートパネルの厚み方向であり、第三方向と表現されてもよい。また、Ｘ軸方向及びＹ軸方向は、Ｚ軸方向に垂直な平面上において、互いに直交する方向である。Ｘ軸方向は、第一方向の一例であり、Ｙ軸方向は、第二方向の一例である。また、以下の実施の形態において「平面視形状」とは、特に断りのない限り、Ｚ軸方向から見た形状を意味する。
【００１３】
（実施の形態１）
［構成］
実施の形態１に係るコンクリートパネルについて、図１〜図３を用いて説明する。図１は、実施の形態１に係るコンクリートパネルを備える住宅の外観斜視図である。図２は、実施の形態１に係るコンクリートパネルの外観斜視図である。図３は、実施の形態１に係るコンクリートパネルの内部構造を示す平面図である。図３では、コンクリートパネル本体２０が破線で模式的に示されている。
【００１４】
図１に示されるように、実施の形態に係るコンクリートパネル１０は、例えば、住宅１００の外壁などに、建築部材として用いられる。住宅１００は、戸建住宅であってもよいし、集合住宅に含まれる一つの住宅であってもよい。住宅１００は、複数のコンクリートパネル１０の他に、壁、柱、床、及び、屋根などを備える。
【００１５】
図２及び図３に示されるコンクリートパネル１０は、いわゆるプレキャストコンクリートパネルである。コンクリートパネル１０は、複数の第一パイプ３１、第二パイプ３２、及び、第三パイプ３３を芯材として、コンクリートを型枠に流し込むことにより製造される。コンクリートパネル１０は、Ｚ軸方向を厚み方向とする、平面視形状が矩形のプレート状（扁平直方体形状）である。住宅１００の外壁は、複数のコンクリートパネル１０を組み合わせて構築される。
【００１６】
コンクリートパネル１０は、具体的には、コンクリートパネル本体２０と複数の第一パイプ３１と、第二パイプ３２と、第三パイプ３３とを備える。
【００１７】
コンクリートパネル本体２０は、コンクリートパネル１０のうち、コンクリートによって形成される部分である。コンクリートパネル本体２０は、Ｚ軸方向を厚み方向とする、平面視形状が矩形のプレート状である。
【００１８】
第一パイプ３１は、長尺円筒状（直管状）の部材であり、コンクリートパネル本体２０内に配置される。第一パイプ３１は、コンクリートパネル本体２０を冷却するための熱媒体の流路を形成する部材である。第一パイプ３１によって形成される流路は、第一パイプ３１の一方の端部から他方の端部まで貫通する。
【００１９】
コンクリートパネル１０が備える複数の第一パイプ３１のそれぞれは、当該第一パイプ３１の長手方向がＸ軸方向に沿うように配置される。Ｘ軸方向は、第一方向の一例であり、第一パイプ３１の長手方向は、言い換えれば、第一パイプ３１の管軸方向である。また、複数の第一パイプ３１は、Ｘ軸方向に直交するＹ軸方向に間隔をあけて並んで配置される。Ｙ軸方向は、第二方向の一例である。複数の第一パイプ３１のうちの一つの第一パイプ３１は、当該第一パイプ３１以外の他の第一パイプ３１と略平行に配置される。なお、略平行とは、製造上の誤差等を含むが実質的に平行であることを意味する。以下の明細書中の「略＊＊」といった記載も同様である。
【００２０】
第一パイプ３１の一方の端部は、第二パイプ３２に接続され、第一パイプ３１の他方の端部は、第三パイプ３３に接続される。第一パイプ３１及び第二パイプ３２の接続、並びに、第一パイプ３１及び第三パイプ３３の接続は、例えば、溶着（融着）によって行われるが、溶接によって行われてもよい。
【００２１】
第二パイプ３２は、略長尺円筒状（直管状）の部材であり、コンクリートパネル本体２０内に配置される。第二パイプ３２は、コンクリートパネル本体２０を冷却するための熱媒体の流路を形成する部材であり、コンクリートパネル本体２０のＸ軸プラス側の端部に、長手方向がＹ軸方向に沿うように配置される。第二パイプ３２の長手方向は、言い換えれば、第二パイプ３２の管軸方向である。
【００２２】
第二パイプ３２の一方の端部は、コンクリートパネル本体２０のＹ軸マイナス側の端部から露出し、熱媒体の入口となる。第二パイプ３２の他方の端部は、コンクリートパネル本体２０内に位置する。第二パイプ３２によって形成される流路は、第二パイプ３２の一方の端部から他方の端部まで貫通し、第二パイプ３２の他方の端部は、コンクリートパネル本体２０によって塞がれている。第二パイプ３２の他方の端部（コンクリートパネル本体２０内に配置される端部）は、閉口していてもよい。
【００２３】
第二パイプ３２には、複数の第一パイプ３１の一方の端部が接続される。言い換えれば、第二パイプ３２は、複数の第一パイプ３１を接続（連結）する接続部材の一例である。上述のように、第二パイプ３２及び第一パイプ３１の接続は、例えば、溶着（融着）によって行われるが、溶接によって行われてもよい。なお、第二パイプ３２の側部には、第二パイプ３２と当該第二パイプ３２に接続された第一パイプ３１とを連通させるための開口が設けられている。
【００２４】
第三パイプ３３は、略長尺円筒状（直管状）の部材であり、コンクリートパネル本体２０内に配置される。第三パイプ３３は、コンクリートパネル本体２０を冷却するための熱媒体の流路を形成する部材であり、コンクリートパネル本体２０のＸ軸マイナス側の端部に、長手方向がＹ軸方向に沿うように配置される。第三パイプ３３の長手方向は、言い換えれば、第三パイプ３３の管軸方向である。
【００２５】
第三パイプ３３の一方の端部は、コンクリートパネル本体２０のＹ軸プラス側の端部から露出し、熱媒体の出口となる。第三パイプ３３の他方の端部は、コンクリートパネル本体２０内に位置する。第三パイプ３３によって形成される流路は、第三パイプ３３の一方の端部から他方の端部まで貫通し、第三パイプ３３の他方の端部は、コンクリートパネル本体２０によって塞がれている。第三パイプ３３の他方の端部（コンクリートパネル本体２０内に配置される端部）は、閉口していてもよい。
【００２６】
第三パイプ３３には、複数の第一パイプ３１の他方の端部が接続される。言い換えれば、第三パイプ３３は、複数の第一パイプ３１を接続（連結）する接続部材の一例である。上述のように、第三パイプ３３及び第一パイプ３１の接続は、例えば、溶着（融着）によって行われるが、溶接によって行われてもよい。なお、第三パイプ３３の側部には、第三パイプ３３と当該第三パイプ３３に接続された第一パイプ３１とを連通させるための開口が設けられている。
【００２７】
以上説明した複数の第一パイプ３１、第二パイプ３２、及び、第三パイプ３３は、連通し、熱媒体の流路となる。熱媒体は、例えば、空気などの気体であるが、水などの液体であってもよい。つまり、コンクリートパネル１０は、熱媒体によって空冷または液冷される。熱媒体は、例えば、第二パイプ３２の一方の端部から流入し、複数の第一パイプ３１を介して第三パイプ３３の一方の端部から流出する。このような熱媒体によれば、コンクリートパネル１０が冷却される。
【００２８】
また、コンクリートパネル本体２０に直接貫通孔を設け、当該貫通孔に熱媒体として液体が用いられる場合、液体がコンクリートパネル本体２０に侵入し、カビなどが発生したり、コンクリートパネル本体２０の強度が低下したりする懸念がある。これに対し、第一パイプ３１、第二パイプ３２、及び、第三パイプ３３が流路として使用される場合には、上記のような懸念が小さいため、熱媒体として液体を使用することが可能となる。
【００２９】
なお、複数の第一パイプ３１のそれぞれは、第二パイプ３２及び第三パイプ３３よりも細い。言い換えれば、第二パイプ３２及び第三パイプは、ヘッダ管であり、第一パイプ３１は、枝管である。このように、熱媒体の外部からの流入先となる第二パイプ３２、及び、熱媒体の外部からの流出元となる第三パイプ３３が、第二パイプ３２及び第三パイプ３３を中継する第一パイプ３１よりも太いことにより、効果的にコンクリートパネル１０が冷却される。
【００３０】
コンクリートパネル１０は熱容量が大きく、日射などで一旦熱せられると冷めにくい性質を有する。したがって、上記のような熱媒体による冷却が特に効果的である。なお、コンクリートパネル１０の流路の出口が当該コンクリートパネル１０以外の他のコンクリートパネル１０の流路の入口と接続されれば、複数のコンクリートパネル１０の一括冷却が実現される。
【００３１】
また、複数の第一パイプ３１、第二パイプ３２、及び、第三パイプ３３は、コンクリートパネル１０の芯材としても機能する。なお、コンクリートパネル１０は、複数の第一パイプ３１、第二パイプ３２、及び、第三パイプ３３の他に、鉄筋を芯材として備えてもよいし、複数の第一パイプ３１、第二パイプ３２、及び、第三パイプ３３のみを芯材とし、鉄筋などの他の芯材を備えなくてもよい。複数の第一パイプ３１、第二パイプ３２、及び、第三パイプ３３が芯材として用いられることにより、コンクリートパネル１０が補強される。また、複数の第一パイプ３１、第二パイプ３２、及び、第三パイプ３３は、中空であるため、コンクリートパネル１０の軽量化が図られる。
【００３２】
第一パイプ３１、第二パイプ３２、及び、第三パイプ３３のそれぞれは、例えば、金属材料によって形成されるが、塩化ビニル樹脂などの樹脂材料によって形成されてもよい。第一パイプ３１、第二パイプ３２、及び、第三パイプ３３が金属材料によって形成される場合、第一パイプ３１、第二パイプ３２、及び、第三パイプ３３には、金属被覆処理（めっき処理など）、無機被覆処理、及び、有機被覆処理などの防錆処理がされていてもよい。また、第一パイプ３１、第二パイプ３２、及び、第三パイプ３３には、防腐処理がされていてもよい。
【００３３】
なお、第一パイプ３１、第二パイプ３２、及び、第三パイプ３３のそれぞれは、互いに異なる材料で形成されてもよい。また、複数の第一パイプ３１のそれぞれは、第二パイプ３２及び第三パイプ３３と同じ太さであってもよいし、第二パイプ３２及び第三パイプ３３よりも太くてもよい。
【００３４】
以上説明したように、複数の第一パイプ３１、第二パイプ３２、及び、第三パイプ３３によれば、熱媒体の流入によるコンクリートパネル１０の冷却、及び、コンクリートパネル１０の補強が実現される。
【００３５】
［変形例］
上記の複数の第一パイプ３１、第二パイプ３２、及び、第三パイプ３３の接続形態は一例である。コンクリートパネル１０においては、複数の第一パイプ３１が第二パイプ３２及び第三パイプ３３によって接続されていればよい。
【００３６】
また、一つのコンクリートパネル１０に１箇所から流入した熱媒体が２箇所から流出してもよい。図４は、このような変形例に係るコンクリートパネルの内部構造を示す平面図である。
【００３７】
なお、図４では、コンクリートパネル本体２０が破線で模式的に示されている。また、以下の説明では、変形例に係るコンクリートパネル１０ａのコンクリートパネル１０との相違点について説明し、既出事項については説明が省略される。
【００３８】
図４に示されるように、変形例に係るコンクリートパネル１０ａにおいて、第三パイプ３３の一方の端部だけでなく、他方の端部もコンクリートパネル本体２０から外部に露出している。第三パイプ３３の他方の端部は、具体的には、コンクリートパネル本体２０のＹ軸マイナス側の端部から外部に露出している。
【００３９】
また、第三パイプ３３は、第三パイプ３３の内部の空間を第三パイプ３３の長手方向において２つに分ける仕切り材３４を有する。仕切り材３４は、第三パイプ３３内に配置され、第三パイプ３３内の流路を塞ぐことにより、流路を２つに分断する。仕切り材３４は、円板状の部材であり、例えば、金属によって形成されるが、樹脂によって形成されてもよい。
【００４０】
このような仕切り材３４によれば、第二パイプ３２の一方の端部から流入した熱媒体は、第三パイプ３３の一方の端部及び第三パイプ３３の他方の端部の両方から流出する。つまり、コンクリートパネル１０ａは、１箇所から流入した熱媒体を２箇所から流出させることができる。
【００４１】
（実施の形態２）
実施の形態１では、複数の第一パイプ３１が第二パイプ３２及び第三パイプ３３によって接続されたが、複数の第一パイプ３１は、パイプ以外の接続部材によって接続されてもよい。図５は、このような実施の形態２に係るコンクリートパネルの外観斜視図である。図６は、実施の形態２に係るコンクリートパネルの内部構造を示す斜視図である。
【００４２】
なお、図６では、コンクリートパネル本体２０が破線で模式的に示されている。また、以下の説明では、実施の形態２に係るコンクリートパネル１０ｂのコンクリートパネル１０との相違点について説明し、既出事項については説明が省略される。
【００４３】
コンクリートパネル１０ｂは、具体的には、コンクリートパネル本体２０と複数の第一パイプ３１と、複数の接続部材３５とを備える。
【００４４】
コンクリートパネル１０と同様に、コンクリートパネル１０ｂにおいても、第一パイプ３１は、当該第一パイプ３１の長手方向がＸ軸方向に沿うように配置される。また、複数の第一パイプ３１は、Ｘ軸方向に直交するＹ軸方向に並んで配置される。
【００４５】
コンクリートパネル１０ｂにおいて、複数の第一パイプ３１のそれぞれは、両方の端部がコンクリートパネル本体２０の外部に露出している。具体的には、第一パイプ３１の一方の端部は、コンクリートパネル本体２０のＸ軸プラス側の端部から外部に露出し、第一パイプ３１の他方の端部は、コンクリートパネル本体２０のＸ軸マイナス側の端部から外部に露出している。第一パイプ３１の一方の端部は、コンクリートパネル１０ｂへの熱媒体の入口となり、第一パイプ３１の他方の端部は、熱媒体の出口となる。
【００４６】
接続部材３５は、全部が２つの第一パイプ３１の間に位置し、当該２つの第一パイプ３１を接続する。接続部材３５は、Ｚ軸方向を厚み方向とし、Ｘ軸方向を長手方向とする長尺板状である。つまり、接続部材３５は、コンクリートパネル本体２０の厚み方向と同じ方向を厚み方向とする長尺板状である。
【００４７】
なお、接続部材３５は、長尺板状に限定されず、２つの第一パイプ３１を接続できる範囲で他の形状であってもよい。また、接続部材３５は、２つの第一パイプ３１の間以外の場所に配置され、２つの第一パイプ３１を接続してもよい。
【００４８】
接続部材３５は、例えば、金属材料によって形成され、２つの第一パイプ３１のそれぞれと溶着（融着）または溶接される。接続部材３５は、樹脂材料によって形成されてもよい。また、複数の第一パイプ３１及び複数の接続部材３５は、一体形成されてもよい。
【００４９】
このように接続部材３５によって複数の第一パイプ３１が接続されれば、熱媒体の流入によるコンクリートパネル１０ｂの冷却、及び、コンクリートパネル１０ｂの補強が実現される。
【００５０】
また、接続部材３５は、開口３６を有する。開口３６は、Ｘ軸方向を長手方向とする長尺矩形状であるが、円形などのその他の形状であってもよい。また、接続部材３５は、複数の開口３６を有してもよい。
【００５１】
このような開口３６には、コンクリート（コンクリートパネル本体２０）が入り込む。したがって、開口３６によれば、コンクリートパネル本体２０と接続部材３５と剥離が抑制される。また、コンクリートパネル本体２０と接続部材３５との接触面積が増加するため、コンクリートパネル本体２０及び接続部材３５の間の熱伝達が促進される。なお、接続部材３５は、開口３６を有していなくてもよい。
【００５２】
（効果等）
以上説明したように、上記実施の形態に係るコンクリートパネル（コンクリートパネル１０、コンクリートパネル１０ａ、または、コンクリートパネル１０ｂ）は、コンクリートパネル本体２０と、長手方向が第一方向に沿い、かつ、第一方向と交差する第二方向に並んで配置された複数の第一パイプ３１であって、コンクリートパネル本体２０の内部に配置された複数の第一パイプ３１と、コンクリートパネル本体２０の内部に配置された、複数の第一パイプ３１を接続する接続部材とを備える。第一方向は、例えば、上記実施の形態のＸ軸方向であり、第二方向は、例えば、上記実施の形態のＹ軸方向である。
【００５３】
これにより、複数の第一パイプ３１に熱媒体が流入することによって、上記実施の形態に係るコンクリートパネルの冷却が実現される。また、複数の第一パイプ３１及び接続部材が芯材として機能するため、上記実施の形態に係るコンクリートパネルの補強が実現される。
【００５４】
また、コンクリートパネル１０は、長手方向が第二方向に沿う第二パイプ３２及び第三パイプ３３を接続部材として備える。複数の第一パイプ３１のそれぞれは、一方の端部が第二パイプ３２に接続され、他方の端部が第三パイプ３３に接続され、複数の第一パイプ３１、第二パイプ３２、及び、第三パイプ３３は、連通する。コンクリートパネル１０ａも同様の構成である。
【００５５】
これにより、熱媒体の流入によるコンクリートパネル１０の冷却、及び、コンクリートパネル１０の補強が実現される。コンクリートパネル１０ａについても同様である。
【００５６】
また、コンクリートパネル１０において、第二パイプ３２の一方の端部は、コンクリートパネル本体２０の第二方向における一方の端部から外部に露出し、第三パイプ３３の一方の端部は、コンクリートパネル本体２０の第二方向における他方の端部から外部に露出する。コンクリートパネル１０ａも同様の構成である。
【００５７】
これにより、コンクリートパネル１０は、コンクリートパネル本体２０の第二方向における一方の端部から流入した熱媒体を、コンクリートパネル本体２０の第二方向における他方の端部から流出させることができる。コンクリートパネル１０ａについても同様である。
【００５８】
また、コンクリートパネル１０において、第二パイプ３２の他方の端部は、コンクリートパネル本体２０の内部に位置し、第三パイプ３３の他方の端部は、コンクリートパネル本体２０の内部に位置する。
【００５９】
これにより、第二パイプ３２の一方の端部に流入した熱媒体が、第二パイプ３２の他方の端部及び第三パイプ３３の他方の端部から流出せず、第三パイプ３３の一方の端部のみから流出するため、熱媒体を複数の第一パイプ３１に集中的に流し込むことができ、コンクリートパネル１０の全体を効率的に冷却することができる。
【００６０】
また、コンクリートパネル１０ａにおいて、第二パイプ３２の他方の端部は、コンクリートパネル本体２０の内部に位置し、第三パイプ３３の他方の端部は、コンクリートパネル本体２０の第二方向における一方の端部から外部に露出している。第三パイプ３３は、第三パイプ３３の内部の空間を第三パイプ３３の長手方向において２つに分ける仕切り材３４を有する。
【００６１】
これにより、コンクリートパネル１０ａは、コンクリートパネル本体２０の第二方向における一方の端部から流入した熱媒体を、コンクリートパネル本体２０の第二方向における両方の端部のそれぞれから流出させることができる。
【００６２】
また、コンクリートパネル１０において、複数の第一パイプ３１のそれぞれは、第二パイプ３２及び第三パイプ３３よりも細い。コンクリートパネル１０ａも同様の構成である。
【００６３】
これにより、コンクリートパネル１０が効果的に冷却される。コンクリートパネル１０ａも同様である。
【００６４】
また、コンクリートパネル１０ｂにおいて、接続部材３５は、コンクリートパネル本体２０の内部の複数の第一パイプ３１の間に配置され、複数の第一パイプ３１を接続する。
【００６５】
これにより、熱媒体の流入によるコンクリートパネル１０ｂの冷却、及び、コンクリートパネル１０ｂの補強が実現される。
【００６６】
また、接続部材３５は、板状であってもよい。
【００６７】
これにより、板状の接続部材３５によって、コンクリートパネル１０ｂの補強が実現される。
【００６８】
また、接続部材３５は、開口３６を有してもよい。
【００６９】
これにより、開口３６にコンクリートパネル本体２０が入り込むことにより、コンクリートパネル本体２０と接続部材３５と剥離が抑制される。また、コンクリートパネル本体２０と接続部材３５との接触面積が増加するため、コンクリートパネル本体２０及び接続部材３５の間の熱伝達が促進される。
【００７０】
また、コンクリートパネル１０ｂにおいては、複数の第一パイプ３１のそれぞれは、両方の端部がコンクリートパネル本体２０の外部に露出する。
【００７１】
これにより、コンクリートパネル１０ｂは、コンクリートパネル本体２０の第一方向における一方の端部から流入した熱媒体を、コンクリートパネル本体２０の第一方向における他方の端部から流出させることができる。
【００７２】
また、住宅１００は、上記実施の形態に係るコンクリートパネルを複数備える。
【００７３】
このような住宅１００においては、コンクリートパネルの流路の出口が当該コンクリートパネル以外の他のコンクリートパネルの流路の入口と接続されることにより、複数のコンクリートパネルの一括冷却が実現される。
【００７４】
なお、住宅１００の外壁は、コンクリートパネル１０、コンクリートパネル１０ａ、及び、コンクリートパネル１０ｂのうち２種以上の組み合わせによって構成されてもよい。
【００７５】
（他の実施の形態）
以上、実施の形態について説明したが、本発明は、上記実施の形態に限定されるものではない。
【００７６】
例えば、上記実施の形態では、コンクリートパネルは、住宅に用いられたが、住宅以外の建築物に用いられてもよい。また、上記実施の形態では、第一パイプを熱媒体の流路として用いることによりコンクリートパネルを冷却する例について説明されたが、第一パイプを熱媒体の流路として用いることによりコンクリートパネルが加熱されてもよい。
【００７７】
また、上記実施の形態では、第一パイプ、第二パイプ、及び、第三パイプのそれぞれは、略円筒状であったが、断面形状が多角形の筒状であってもよい。例えば、第一パイプ、第二パイプ、及び、第三パイプのそれぞれは、角筒状であってもよい。また、第一パイプ、第二パイプ、及び、第三パイプは、断面形状が互いに異なってもよい。
【００７８】
また、上記実施の形態の模式断面図に示される第一部材の積層構造は、一例である。第一部材の積層構造は、本発明の特徴的な機能を実現できる範囲で、当該積層構造の層間に別の層を含んでもよい。第二部材についても同様である。
【００７９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【００８０】
例えば、実施の形態１で説明されたコンクリートパネルにおいて、複数の第一パイプが、実施の形態２で説明された接続部材によって接続されていてもよい。
【符号の説明】
【００８１】
１０、１０ａ、１０ｂ  コンクリートパネル
２０  コンクリートパネル本体
３１  第一パイプ
３２  第二パイプ
３３  第三パイプ
３４  仕切り材
３５  接続部材
３６  開口
１００  住宅
【図１】
2018159212.tif 000003
【図２】
2018159212.tif 000004
【図３】
2018159212.tif 000005
【図４】
2018159212.tif 000006
【図５】
2018159212.tif 000007
【図６】
2018159212.tif 000008